(57)【要約】      （修正有）【課題】埋め込み型のテープ式読み取り及び書き込み機構を有するデータストレージデバイスを提供する。【解決手段】テープ埋め込み型ドライブ１００において、データを記憶するためのテープ媒体１１５を保持するテープリール１１０（複数可）と、ヘッドアセンブリ１３０と、ヘッドアセンブリを作動させるように構成されているテープリールモータ１４０と、封止されたケーシング１０５と、モータの動作を制御するように構成されているプリント回路基板アセンブリを備える。ヘッドアセンブリは、支持構造体と、読み取りヘッド及び書き込みヘッドを含むヘッドバーと、ヘッドバーを支持構造体に接続する懸架システムと、を備える。封止されたケーシングは、その内部に、テープリール、ヘッドアセンブリ及びテープリールモータを封入する。プリント回路基板アセンブリは、ケーシングの外面に実装されている。【選択図】図１Ｂ
2020129424.tif 000002
【特許請求の範囲】
【請求項１】
ストレージデバイスであって、
データを記憶するためのテープ媒体を含む１つ以上のテープリールと、
ヘッドアセンブリであって、
支持構造体、
少なくとも１つの読み取りヘッド及び少なくとも１つの書き込みヘッドを含むヘッドバー、並びに
前記ヘッドバーを前記支持構造体に接続する懸架システム、を含む、ヘッドアッセンブリと、
前記ヘッドアセンブリを作動させるように構成されている１つ以上のモータと、
内部空洞を含む封止されたケーシングであって、前記内部空洞が、前記１つ以上のテープリール、前記ヘッドアセンブリ、及び前記１つ以上のモータを保持する、封止されたケーシングと、
前記ケーシングの外面に実装されたプリント回路基板アセンブリ（printed circuit board assembly、ＰＣＢＡ）であって、前記１つ以上のモータに電気的に接続されており、かつ前記１つ以上のモータの動作を制御するように構成されている、プリント回路基板アセンブリ（ＰＣＢＡ）と、を備える、ストレージデバイス。
【請求項２】
ＰＣＢＡが、シリアル接続ＳＣＳＩ（Serial Attached SCSI、ＳＡＳ）又はシリアルＡＴＡ（Serial ATA、ＳＡＴＡ）コネクタを含む、請求項１に記載のストレージデバイス。
【請求項３】
前記ケーシングが、３．５インチのフォームファクタである、請求項１に記載のストレージデバイス。
【請求項４】
前記ヘッドバーの幅が、前記テープ媒体の前記幅よりも小さい、請求項１に記載のストレージデバイス。
【請求項５】
前記１つ以上のモータが、
前記ヘッドアセンブリの粗動を提供するように構成されているステッピングモータと、
前記ヘッドアセンブリの微動を提供するように構成されているボイスコイルモータと、を含む、請求項１に記載のストレージデバイス。
【請求項６】
前記懸架システムが、
前記テープ媒体の幅にわたって前記ヘッドバーを移動させるように構成されている、１つ以上の圧電アクチュエータを含む、請求項１に記載のストレージデバイス。
【請求項７】
前記１つ以上の圧電アクチュエータが、
第１の構成において引くように、及び第２の構成において押すように構成されている、第１の圧電アクチュエータと、
前記第１の構成において押す、及び前記第２の構成において引くように構成されている、第２の圧電アクチュエータと、を含み、
前記第１の圧電アクチュエータが、前記ヘッドバーの第１の側に配置されており、前記第２の圧電アクチュエータが、前記ヘッドバーの第２の側に配置されており、前記第２の側が、前記第１の側とは反対側にある、請求項６に記載のストレージデバイス。
【請求項８】
前記懸架システムが、
前記支持構造体に接続されているフレームと、
前記ヘッドバーを前記フレームに取り付ける複数の懸架ワイヤと、を更に含み、
前記第１の圧電アクチュエータが、前記ヘッドバーの前記第１の側を前記フレームの第１の側に接続し、前記第２の圧電アクチュエータが、前記ヘッドバーの前記第２の側を前記フレームの第２の側に接続する、請求項７に記載のストレージデバイス。
【請求項９】
前記懸架システムが、
前記支持構造体に接続されているフレームを更に含み、
前記１つ以上の圧電アクチュエータが、前記フレームを前記ヘッドバーに接続する、請求項６に記載のストレージデバイス。
【請求項１０】
前記１つ以上の圧電アクチュエータが、チタン酸ジルコン酸鉛（lead zirconate titanate、ＰＺＴ）材料を含む剪断アクチュエータである、請求項６に記載のストレージデバイス。
【請求項１１】
前記懸架システムが、
基部端部及び上端部を含む細長い懸架部を更に含み、
前記ヘッドバーが、前記上端部に取り付けられており、前記基部端部が、前記１つ以上の圧電アクチュエータによって、前記支持構造体に移動可能に取り付けられている、請求項６に記載のストレージデバイス。
【請求項１２】
テープドライブ内のテープ媒体の読み取り又は書き込みのためのヘッドアセンブリであって、前記ヘッドアッセンブリが、
支持構造体と、
少なくとも１つの読み取りヘッド及び少なくとも１つの書き込みヘッドを含むヘッドバーと、
前記ヘッドバーを前記支持構造体に接続する懸架システムと、を備え、
前記ヘッドバーが、前記テープ媒体の幅の半分未満であり、前記ヘッドバーが、前記テープ媒体の前記幅にわたって移動するように構成されている、ヘッドアッセンブリ。
【請求項１３】
前記懸架システムが、
前記テープ媒体の幅にわたって前記ヘッドバーを移動させるように構成されている、１つ以上の圧電アクチュエータを含む、請求項１２に記載のヘッドアッセンブリ。
【請求項１４】
前記１つ以上の圧電アクチュエータが、
第１の構成において引くように、及び第２の構成において押すように構成されている、第１の圧電アクチュエータと、
前記第１の構成において押すように、及び前記第２の構成において引くように構成されている、第２の圧電アクチュエータと、を含み、
前記第１の圧電アクチュエータが、前記ヘッドバーの第１の側に配置されており、前記第２の圧電アクチュエータが、前記ヘッドバーの第２の側に配置されており、前記第２の側が、前記第１の側とは反対側にある、請求項１３に記載のヘッドアッセンブリ。
【請求項１５】
前記懸架システムが、
前記支持構造体に接続されているフレームと、
前記ヘッドバーを前記フレームに取り付ける複数の懸架ワイヤと、を更に含み、
前記第１の圧電アクチュエータが、前記ヘッドバーの前記第１の側を前記フレームの第１の側に接続し、前記第２の圧電アクチュエータが、前記ヘッドバーの前記第２の側を前記フレームの第２の側に接続する、請求項１４に記載のヘッドアッセンブリ。
【請求項１６】
前記１つ以上の圧電アクチュエータが、チタン酸ジルコン酸鉛（ＰＺＴ）材料を含む剪断アクチュエータである、請求項１４に記載のヘッドアッセンブリ。
【請求項１７】
前記懸架システムが、
基部端部及び上端部を含む細長い懸架部を更に含み、
前記ヘッドバーが、前記上端部に取り付けられており、前記基部端部が、前記１つ以上の圧電アクチュエータによって、前記支持構造体に移動可能に取り付けられている、請求項１４に記載のヘッドアッセンブリ。
【請求項１８】
前記ヘッドバーが、ライタ−リーダ−ライタレイアウトのヘッドを含む、請求項１２に記載のヘッドアセンブリ。
【請求項１９】
前記ヘッドバーが、ライタ−リーダ−リーダ−ライタレイアウトのヘッドを含む、請求項１２記載のヘッドアセンブリ。
【請求項２０】
請求項１２に記載のヘッドアッセンブリを備える、ストレージデバイス。
【請求項２１】
ストレージデバイスであって、
データを記憶するためにテープ媒体を保持するように構成されている１つ以上のテープ保持手段と、
ヘッドアセンブリであって、
支持構造体、
テープ読み取り及び書き込み手段、並びに、
前記テープ読み取り手段と書き込み手段とを前記支持構造体に接続する懸架手段、を含む、ヘッドアッセンブリと、
前記ヘッドアセンブリを作動させるように構成されている１つ以上の作動手段と、
内部空洞を含む封止されたケーシングであって、前記内部空洞が、前記１つ以上のテープ保持手段、前記ヘッドアセンブリ、及び前記１つ以上の作動手段を保持する、封止されたケーシングと、
前記ケーシングの外面に実装されたプリント回路基板アセンブリ（ＰＣＢＡ）であって、前記１つ以上の作動手段に電気的に接続されており、かつ前記１つ以上の作動手段の動作を制御するように構成されている構成要素を含む、プリント回路基板アセンブリ（ＰＣＢＡ）と、を備える、ストレージデバイス。
【発明の詳細な説明】
【技術分野】
【０００１】
（関連出願の相互参照）
本出願は、２０１９年２月８日に出願された「ＴＡＰＥ  ＥＭＢＥＤＤＥＤ  ＤＲＩＶＥ」と題された米国仮特許出願第６２／８０３，３６６号、及び２０１９年３月１１日に出願された「ＴＡＰＥ  ＥＭＢＥＤＤＥＤ  ＤＲＩＶＥ」と題された米国特許仮出願第６２／８１６，８６０号に対する優先権を主張するものであり、これらの開示は、参照によりその全体が本明細書に組み込まれる。
【０００２】
（発明の分野）
本開示は、テープ式データストレージデバイスに関する。より具体的には、本開示は、埋め込み型のテープ式読み取り及び書き込み機構を有するデータストレージデバイスに関する。
【背景技術】
【０００３】
特定のコンピューティングシステムでは、テープストレージシステムは、テープ媒体（テープフィルム又は磁気テープとも呼ばれる）を格納するテープドライブ及びテープカートリッジ又はカセットを含む。テープドライブは、カートリッジ又はカセットのデータの書き込み又は読み取りを行う。
【図面の簡単な説明】
【０００４】
様々な実施形態が、例示目的のために添付の図面に示されており、本開示の範囲を限定するものとして解釈されるべきではない。加えて、異なる開示された実施形態の様々な特徴を組み合わせて、本開示の一部である追加の実施形態を形成することができる。
【０００５】
【図１Ａ】いくつかの実施形態による、テープ埋め込み型ドライブの分解斜視図及び簡略化された上面図及び側面プロファイル図を示す。
【図１Ｂ】いくつかの実施形態による、テープ埋め込み型ドライブの分解斜視図及び簡略化された上面図及び側面プロファイル図を示す。
【図１Ｃ】いくつかの実施形態による、テープ埋め込み型ドライブの分解斜視図及び簡略化された上面図及び側面プロファイル図を示す。
【０００６】
【図２】いくつかの実施形態による、テープ埋め込み型ドライブのプリント回路基板アセンブリ（Printed Circuit Board Assembly、ＰＣＢＡ）の上面斜視図を示す。
【０００７】
【図３Ａ】いくつかの実施形態による、ケーシング内のテープリール（複数可）の可能な配置位置を示す。
【図３Ｂ】いくつかの実施形態による、ケーシング内のテープリール（複数可）の可能な配置位置を示す。
【０００８】
【図４】いくつかの実施形態による、３．５インチのフォームファクタのテープ埋め込み型ドライブ及びリニアテープオープン（Linear Tape-Open、ＬＴＯ）テープカセットの斜視図を示す。
【０００９】
【図５】いくつかの実施形態による、テープ埋め込み型ドライブのヘッドアセンブリを示す。
【００１０】
【図６】いくつかの実施形態による、テープ埋め込み型ドライブ用のＬＴＯヘッドバー及びヘッドバーを示す。
【００１１】
【図７Ａ】いくつかの実施形態による、別のヘッドアセンブリの斜視図及び対面図を示す。
【図７Ｂ】いくつかの実施形態による、別のヘッドアセンブリの斜視図及び対面図を示す。
【００１２】
【図８Ａ】いくつかの実施形態による、懸架システムを使用したヘッドアセンブリの斜視図及び対面図を示す。
【図８Ｂ】いくつかの実施形態による、懸架システムを使用したヘッドアセンブリの斜視図及び対面図を示す。
【００１３】
【図９Ａ】いくつかの実施形態による、プッシュプル懸架システムを使用するヘッドアセンブリの斜視図及び対面図を示す。
【図９Ｂ】いくつかの実施形態による、プッシュプル懸架システムを使用するヘッドアセンブリの斜視図及び対面図を示す。
【００１４】
【図１０Ａ】いくつかの実施形態による、ヘッドジンバルアセンブリを含むヘッドアセンブリの別の実施形態の斜視図、第１の側面プロファイル図、及び第２の側面プロファイル図を示す。
【図１０Ｂ】いくつかの実施形態による、ヘッドジンバルアセンブリを含むヘッドアセンブリの別の実施形態の斜視図、第１の側面プロファイル図、及び第２の側面プロファイル図を示す。
【図１０Ｃ】いくつかの実施形態による、ヘッドジンバルアセンブリを含むヘッドアセンブリの別の実施形態の斜視図、第１の側面プロファイル図、及び第２の側面プロファイル図を示す。
【００１５】
【図１１】いくつかの実施形態による、テープ埋め込み型ドライブのサーボ機構システムの制御ブロック図を示す。
【発明を実施するための形態】
【００１６】
特定の実施形態が記載されているが、これらの実施形態は単なる例として提示され、保護の範囲を限定することを意図するものではない。実際に、本明細書に記載される新規の方法及びシステムは、様々な他の形態で具現化され得る。更に、本明細書に記載される方法及びシステムの形態の様々な省略、置換、及び変更は、保護の範囲から逸脱することなく行われてもよい。
【００１７】
本明細書に開示される原理は、便宜上、任意の好適な又は実用的なデータストレージシステム又は環境に適用可能であり得るが、便宜上、特定の実施形態が、テープ式のデータストレージシステムのコンテキストにおいて本明細書に開示される。
【００１８】
テープデータストレージは、デジタル記録を使用して磁気テープ上にデジタル情報を記憶するためのシステムである。テープストレージ媒体は、最も一般的にはカートリッジ及びカセットにパッケージ化されている。テープドライブは、カートリッジ又はカセットのデータの書き込み又は読み取りを行う。自動装填及びテープライブラリを使用して、カートリッジのライブラリからテープドライブにカートリッジ／カセットを移動させて、逆もまた同様にして、カートリッジの取り扱いを自動化することができる。一般的なカセットベースのフォーマットはＬＴＯであり、様々な密度がある。
【００１９】
磁気テープのコンテキストにおいては、カセットという用語は通常、磁気テープの単一スパンで２つのリールを保持するエンクロージャを指す。カートリッジという用語は、より一般的であるが、しばしば、プラスチックエンクロージャ内のテープの単一のリールを意味する。便宜上、本開示はカセットを参照するが、記載された技術はカートリッジにも適用され得る。
【００２０】
パッケージングのタイプは、ロード時間とアンロード時間、及び保持できるテープの長さの大きな決定要因である。単一のリールカートリッジを使用するテープドライブは、カセットがカセット内に巻き取りリールを有する一方で、ドライブに巻き取りリールを有する。テープドライブ（又は「トランスポート」又は「デッキ」）は、正確に制御されたモータを使用して、テープを一方のリールから他方に巻き戻し、読み取り／書き込みヘッドもそのようにして通過させる。
【００２１】
現状のテープドライブライブラリシステムは、いくつかの欠陥を有する。テープが周囲環境に対してオープンであるため、テープ保管設備（例えば、データセンタ）は、テープの信頼性を確保するために、湿度及び温度を制御する必要がある。このような環境維持は高価になり得る。加えて、このようなメンテナンスを行っても、長期の信頼性に関しては、依然として問題となり得る。例えば、温度の変動又は埃による汚染は、テープドライブの信頼性に影響を及ぼし得る。
【００２２】
加えて、テープカセットをライブラリ内のテープフォルダからテープドライブシステムに移動させるために使用されるロボットは、読み取りの更なる遅延を引き起こす可能性がある。例えば、ロボット（約平均５０秒）及びテープドライブ（約平均５０秒）の両方のアクセス時間は、約１００秒となり得る。
【００２３】
更に、テープドライブシステムは、デュアルステージモータと呼ばれる上下ステッピングモータ及びボイスコイルモータ（voice coil motor、ＶＣＭ）を使用して、大型のライタ及びリーダヘッドバーを移動させる。インチあたりのトラック数（tracks per inch、ＴＰＩ）が大きい場合、大型ヘッドバーにより、デュアルステージモータでの可能な精度が制限される。加えて、テープドライブシステムは、複数世代のカセットをサポートする必要がある。テープドライブシステムは、いくつかのタイプのテープフィルムベンダ製及び複数の世代の記録に対応するデータを書き込み、読み取りする必要があり得る。適合性を維持することは、技術改善の可能性を制限することになり得る。
テープ埋め込み型ドライブの概要
【００２４】
これらの問題に対する１つの解決策は、テープ埋め込み型ドライブであり、その実施形態を以下で考察する。テープ埋め込み型ドライブは、いくつかの実施形態では、テープ媒体及び読み取り及び書き込み用ヘッド（複数可）を統合したカセットである。更に、カセットは、例えば、ハードディスクドライブ（hard disk drives、ＨＤＤ）に共通の３．５インチのフォームファクタを利用することができる。３．５インチのフォームファクタを使用することにより、コントローラ及びシールドドライブ技術など、ＨＤＤ用に開発された技術をテープドライブに適合又は利用することができる。例えば、ＨＤＤドライブで使用される同様のＰＣＢＡを使用することができ、ＳＡＴＡ又はＳＡＳインターフェースをホストに提供することができる。更に、ＰＣＢＡは、システムオンチップ（system-on-a-chip、ＳｏＣ）、並びに／又は例えば、データ読み込みチャネル、メモリ、モータドライバ（複数可）、及びアクチュエータドライバ（複数可）を含む、他の制御回路を含むことができる。ヘッド技術を統合することは、関連するメンテナンスコストを含むテープライブラリシステムを維持する必要性を排除することができる。
【００２５】
加えて、３．５インチのフォームファクタなどの標準化フォームファクタを使用することにより、既存のデータセンタインフラストラクチャとのより良好な統合を提供することができる。ＨＤＤは一般的にデータセンタのストレージに使用され、３．５インチのフォームファクタＨＤＤを使用するように設計された専用のラックとサーバがある。３．５インチのフォームファクタを使用することにより、テープ埋め込み型ドライブは、データセンタのメンテナンス及びインフラストラクチャの必要性を簡素化することができる。テープドライブをサポートするための第２のセットのインフラストラクチャを用意するのではなく、同じインフラストラクチャを利用して、本開示に記載されるようなＨＤＤ及びテープ埋め込み型ドライブの両方をサポートすることができる。特定の他の実施形態では、同じ統合化アプローチを、非３．５インチのフォームファクタの構造に適用することができる。例えば、２．５インチ又は５．２５インチのフォームファクタが使用されてもよく、又は別の略矩形のフォームファクタが使用されてもよい。２．５インチ又は５．２５インチフォームファクタを使用することにより、３．５インチのフォームファクタに関して上述したものと同じインフラストラクチャ及び他の利点を提供することができる。
【００２６】
図１Ａ〜図１Ｃは、特定の実施形態によるテープ埋め込み型ドライブ１００の分解斜視図及び簡略化された上面図及び側面プロファイル図を示す。例えば、図１Ｂに注目すると、テープ埋め込み型ドライブは、ケーシング１０５、１つ以上のテープリール１１０、テープ媒体１１５、１つ以上のモータ（例えば、ステッピングモータ１２０（ステッパモータとしても知られる）、ボイスコイルモータ１２５など）、１つ以上の読み取り及び書き込みヘッド、テープガイド／ローラ１３５ａ、１３５ｂ、及びＰＣＢＡ１５５を含むヘッドアセンブリ１３０（図１Ｃ）を含む。一実施形態では、構成要素の大部分は、ケーシングの外部表面上に実装されるＰＣＢＡを除いて、ケーシングの内部空洞内にある。同じ構成要素は、図１Ａの斜視図に示されている。
【００２７】
図示した実施形態では、２つのテープリール１１０は、ケーシングの内部空洞に配置され、２つのテープリールの中心が空洞内の同じレベルにあり、ヘッドアセンブリ１３０は２つのテープリールの中央及び下に位置する。テープリールのスピンドルに配置されたテープリールモータ１４０は、テープリール内のテープフィルムを巻き取り及び巻き戻すように動作することができる。各テープリールはまた、テープフィルムをリール上にきれいに巻くことを助けるために、テープフォルダを組み込んでもよい。テープ媒体は、改善された面密度を提供するために、スパッタリングプロセスによって作製されてもよい。
【００２８】
テープリールからのテープフィルムは、ガイド／ローラ１３５ａ、１３５ｂに対して付勢され、リールの移動によってヘッドアセンブリ１３０に沿って移動可能に通される。図示した実施形態は、ヘッドアセンブリ１３０から最も離れた２つのガイド／ローラ１３５ａがフィルムの方向を変える働きをし、及びヘッドアセンブリ１３０に最も近い２つのガイド／ローラ１３５ｂが、フィルムをヘッドアセンブリ１３０に押し付ける、４つのガイド／ローラ１３５ａ、１３５ｂを示す。
【００２９】
図１Ａに示すように、いくつかの実施形態では、ガイド／ローラ１３５は、同じ構造を利用する。他の実施形態では、図１Ｂに示すように、ガイド／ローラ１３５は、より特殊な形状を有してもよく、機能に基づいて互いに異なっていてもよい。更に、より少ない又はより多い数のローラが使用され得る。例えば、２つの機能性ローラは、円筒形の形状であってもよく、２つの機能的ガイドは平側面（例えば、矩形プリズム）であってもよく、又は２つの突起のあるクリップ形状、及びクリップの突起間を移動するフィルムであってもよい。
【００３０】
ボイスコイルモータ及びステッピングモータは、テープヘッド（複数可）を、記録テープの幅に対して横方向に可変的に位置付けることができる。ステッピングモータは粗動を提供し、一方ボイスコイルモータはヘッド（複数可）のより細かい作動を提供し得る。一実施形態では、テープフィルムに沿ったヘッド（複数可）のより正確な位置決めを補助するために、サーボデータをテープに書き込むことができる。
【００３１】
加えて、ケーシング１０５は、ケーシング内の環境を維持するのを助けるために、１つ以上の粒子フィルタ１４１及び／又は乾燥剤１４２（図１Ａ）を含むことができる。例えば、ケーシングが気密にされていない場合、空気流が予想される場所には、粒子フィルタが配置され得る。粒子フィルタ及び／又は乾燥剤は、１つ以上の角、又は移動する内部構成要素から離れた任意の他の好都合な場所に配置され得る。例えば、テープを巻く／巻き戻すにつれて、移動するリールが内部の気流を生成するため、その気流内に粒子フィルタが配置され得る。
【００３２】
ケーシング内のテープ埋め込み型ドライブ１００の内部構成要素の配置には、多種多様な可能性がある。具体的には、特定の実施形態では、ヘッド機構がケーシングの内部にあるため、従来のテープドライブなどのように、フィルムをケーシングの外側に露出させる必要はない。したがって、テープフィルムは、ケーシングの縁部に沿ってルーティングされる必要はなく、ケーシング内でよりコンパクトに、又は他のより効率的な方法で自由にルーティングすることができる。同様に、これらの構成要素への外部アクセスを提供する設計要件がないので、より効率的なレイアウトを実現するために、ヘッド（複数可）及びテープリールを様々な場所に配置され得る。
【００３３】
図１Ｃに示すように、ケーシング１０５は、カバー１５０及び基部１４５を含む。ＰＣＢＡ１５５は、カバー１５０の反対側のケーシング１０５の外面上で、底部に取り付けられる。ソリッドステートの電子機器で作製されたＰＣＢＡは、環境問題に関しては懸念事項が少ないため、ケーシング１０５の内部に配置される必要がない。これにより、他の構成要素、特に保護された環境から恩恵を受ける移動構成要素及びフィルム媒体のために、ケーシング内に空間が残される。
【００３４】
いくつかの実施形態では、テープ埋め込み型ドライブ１００は封止される。封止とは、ドライブが密封して封止されているか、又は必ずしも気密である必要はなく単純に封止されていることを意味し得る。ドライブを封止することは、テープフィルムの巻き取りの安定性、テープフィルムの信頼性、及びテープヘッドの信頼性のために有効であり得る。乾燥剤は、ケーシング内の湿度を制限するために使用されてもよい。
【００３５】
一実施形態では、カバー１５０は、テープ埋め込み型ドライブを密封して封止するために使用される。例えば、ドライブ１００は、カバーを基部１４５に取り付けること（例えば、レーザ溶接、接着剤など）によって、環境制御のために密封して封止されてもよい。ドライブ１００は、ヘリウム、窒素、水素、又はいくつかの他の典型的には不活性ガスによって充填されてもよい。
【００３６】
いくつかの実施形態では、テープ埋め込み型ドライブ１００に他の構成要素を追加することができる。例えば、ヘッドの前置増幅器をテープ埋め込み型ドライブに追加することができる。前置増幅器は、ヘッドアセンブリ１３０内のＰＣＢＡ１５５上に、又は別の位置に配置されてもよい。一般に、ヘッドにより近い前置増幅器を配置することは、信号対雑音比（signal-to-noise ratio、ＳＮＲ）における、読み取り信号及び書き込み信号に対してより大きな効果を有することができる。他の実施形態では、構成要素の一部を除去することができる。例えば、フィルタ１４１又は乾燥剤１４２は、除去されてもよい。
【００３７】
図２は、特定の実施形態による、テープ埋め込み型ドライブ１００のＰＣＢＡ１５５の上面斜視図を示す。ＰＣＢＡ１５５は、ケーシングの底面に取り付けられ、コネクタ２０５は、ケーシング内の内部構成要素に電気的／電子的に接続されている底面上の接点又はインターフェースに取り付けられる。例えば、接点又はインターフェースは、ケーシング内の１つ以上のモータ及び／又はアクチュエータに電気的に接続されてもよい。一実施形態では、接点／インターフェースは、ケーシングの気密封止を損なうことなく、ケーシング内に組み込まれる。いくつかの実施形態では、コネクタ２０５は、ケーシングの封止を維持しながら、ケーシング内部の構成要素をＰＣＢＡ上の構成要素に電気的に接続する、電気的フィードスルーとすることができる。例えば、本開示の譲受人に譲渡され、その開示が参照により組み込まれる、２０１７年６月６日に発行された「Ｓｅａｌｅｄ  ｂｕｌｋｈｅａｄ  ｅｌｅｃｔｒｉｃａｌ  ｆｅｅｄ−ｔｈｒｏｕｇｈ  Ｘ−Ｙ  ｐｏｓｉｔｉｏｎｉｎｇ  ｃｏｎｔｒｏｌ」と題された米国特許第９，６７２，８７０号に記載される、密閉型ヘリウムディスクドライブで見られるものと同様の電気的フィードスルーを使用することができる。
【００３８】
ＰＣＢＡ１５５は、１つ以上のコントローラ、１つ以上のコネクタ２０５、ＳｏＣ２１０、１つ以上のデータインターフェース２１５（例えば、シリアルＡＴＡ（Serial ATA、ＳＡＴＡ）、シリアルアタッチドＳＣＳＩ（Serial Attached SCSI、ＳＡＳ）、不揮発性メモリエクスプレス（non-volatile memory express、ＮＶＭｅ）若しくは同様のもの）、メモリ２２０、電力大規模集積回路（Power Large Scale Integration、ＰＬＳＩ）２２５、及び／又はデータ読み取りチャネルコントローラ２３０などの、様々な構成要素を含むことができる。必要に応じて、１つ以上の切り抜き部２３５をＰＣＢＡに追加して、テープリールモータのための追加のスペースを提供することができる。例えば、テープリールモータ１４０の上のケーシングの部分は、モータのための追加のスペースを提供するように隆起されてもよい。切り抜き部２３５を設けることにより、ＰＣＢＡ１５５がケーシングの隆起部分を囲むことができるため、テープ埋め込み型ドライブ１００の厚さを低減することができる。
【００３９】
ＰＣＢＡは、ケーシング１０５の底部外面全体に沿って延在することができ、又は様々な構成要素がどのくらいスペースを必要とするかに応じて、表面に沿って部分的にのみ延在してもよい。いくつかの実施形態では、第２のＰＣＢＡは、ケーシング１０５内に配置されてもよく、例えば、コネクタ２０５を介して第１のＰＣＢＡ１５５と通信することができる。
【００４０】
いくつかの実施形態では、ＰＣＢＡ上のコントローラは、テープ埋め込み型ドライブ１００の読み取り及び書き込み動作を制御する。コントローラは、テープスプールモータと連動して、テープスプールにテープフィルムを前後に巻き付けることができる。コントローラは、ステッピングモータ及びボイスコイルモータを使用して、テープフィルム上へのヘッド（複数可）の配置を制御することができる。コントローラはまた、ＳＡＴＡ又はＳＡＳなどの１つ以上のインターフェース２１５を介して、テープ埋め込み型ドライブ１００への、又はそこからのデータの出力／入力を制御することができる。
【００４１】
図３Ａ〜図３Ｂは、ケーシング内のテープリール（複数可）の可能な配置位置を示す。上で考察されるように、テープ埋め込み型ドライブ１００の密閉されている特質により、内部構成要素の配置に大きな余裕が生まれる。図３Ａは、実質的に同じ水平線に沿ったテープリール１１０ａ、１１０ｂの配置を示す。リールは、ケーシングの上縁部３０５に近接し、モータ及びヘッド（複数可）などの他の内部構成要素のためにケーシングの底縁部３１０に沿った空間を提供する。
【００４２】
図３Ｂは、テープの配置が互いに対角線上であることを示す。右テープリール１１０ｂは、ケーシングの右上角に配置され、左テープリール１１０ａはケーシングの左下角に配置されている。底部右角部３１５及び／又はケーシングの左上角に沿ったスペースは、モータ及びヘッド（複数可）などの他の内部構成要素のために残される。別の実施形態では、左下角及び／又は右上角にスペースを残して、リールが左上角及び右下角に配置されてもよい。
【００４３】
＜寸法の考察＞
図４は、特定の実施形態による、３．５インチのフォームファクタのテープ埋め込み型ドライブ１００及びＬＴＯテープカセットの斜視図を示す。一実施形態では、テープ埋め込み型ドライブ１００は、１４７ｍｍの長さ、１０２ｍｍの幅、及び２６ｍｍの高さ寸法を有する。ＬＴＯカセット４０５は、１２５ｍｍの長さ、１０９ｍｍの幅、及び２５ｍｍの高さの寸法を有する。上記は、テープ埋め込み型ドライブ用に可能な寸法の一組を開示しているが、他の実施形態では異なる寸法を有してもよい。例えば、より大きなデータ容量を有するより大きなテープフィルムの使用を可能にするために、高さを２倍にするか、別様に増加（例えば、約５２ｍｍまで）させてもよい。
【００４４】
ＰＣＢＡを有するテープ埋め込み型ドライブのサイズ（長さ×幅×高さ）は、アクセス時間及びストレージ容量によって最適化することができる。アクセス時間をより速くするには、テープフィルムの長さを短くする必要がある。テープフィルムの長さを短くすると、テープ埋め込み型ドライブのケーシングの長さ及び／又は幅のサイズは短くなり得るが、総データ容量が減少するという潜在的なコストがかかる。容量を増加させるために、ケーシングの幅及び／又は長さを伸ばして、テープ長さ全体を長くすることができるが、アクセス時間が長くなるという潜在的なコストがかかる。
【００４５】
いくつかの実施形態では、テープフィルムの幅は、ＬＴＯカセットで使用される標準的な１２．６５ｍｍから、より広いフィルムにまで増加させることができる。テープ幅を増加させることは、テープ全体の長さが同じままであり得るため、アクセス時間に必ずしも多大な影響を及ぼすことなく、容量を増加させることができる。
【００４６】
表１は、ＬＴＯテープ測定と比較したテープ埋め込み型ドライブ１００のテープフィルム測定のために可能な１つの実施形態を示す。テープの厚さに基づいて、テープ長さは約５９２ｍと計算され得、これは標準ＬＴＯテープフィルムの長さの約６０％である。参照のために、現状のＬＴＯテープカセット（１２５ｍｍ×１０９ｍｍ×２５ｍｍ）は、カセット（ＬＴＯ−７ｓｐｅｃ）内に約９６０ｍのテープフィルム長さを有する。
【表１】
2020129424.tif 000003
【００４７】
１／３の長さのシーク時間が平均シーク時間を表すと仮定し、７ｍ／秒でテープが巻き取られ、かつ、１０９８ｍのテープ長さを有するＬＴＯカセットにおいて、平均シーク時間は約１０９８／３／７〜＝５２秒である。ライブラリシステムでの平均ロボットハンドリング速度を５０秒と仮定すると、合計平均データアクセス時間は約１００秒になる。一方、３．５インチのフォームファクタのテープ埋め込み型ドライブの一部の実施形態では、平均シーク時間に対して５９２／３／２０〜＝１０秒のアクセス時間を有することができる。テープの長さを短くして、テープの質量を小さくすると、１０ｍ／秒、１５ｍ／秒、及び２０ｍ／秒のテープ巻き取りを実現することができる。更に、各テープリールモータからの慣性回転に起因する、バックラッシュが全くない。又は少なくとも、より少なくなってもよい。
【００４８】
上記では、テープ埋め込み型ドライブ１００は、ＨＤＤのような３．５インチのフォームファクタを有するケーシングを有するものとして考察しているが、テープ埋め込み型ドライブ１００は、他のフォームファクタを使用することができる。例えば、テープ技術が将来十分な小型化を実現させた場合、テープ埋め込み型ドライブは、ラップトップＨＤＤによって使用されるような、２．５インチのドライブフォームファクタを使用することができる。より大きなサイズが所望されるいくつかの実施形態では、テープ埋め込み型ドライブ１００は、コンピュータＣＤ−ＲＯＭによって使用されるような、ケーシングのための５．２５ドライブフォームファクタを使用することができる。更に、テープ埋め込み型ドライブ１００は、いくつかの変形例で３．５インチのフォームファクタを使用することができる。例えば、ドライブは、わずかに長く／短く、わずかに厚く／薄く、又は同様のものであってもよい。データ／電力インターフェースの寸法又は配置にわずかな違いがあっても、ドライブ１００は、ラック及びサーバなどの様々なコンピュータ機器に見出される既存の３．５インチベースのインフラストラクチャに対して依然として互換性があり得る。
【００４９】
＜ヘッドアセンブリ＞
図５は、特定の実施形態によるテープ埋め込み型ドライブ１００のヘッドアセンブリ５００を示す。ヘッドアセンブリ５００は、ヘッドアセンブリを動かすための多段階アクチュエータを含む。いくつかの実施形態では、多段階アクチュエータは、ステッピングモータ５０５（第１段階）と、コイル５２９及び磁石５３０を含むボイスコイルモータ５１０（第２段階）、及びヘッドバー５２０の上下運動のためにそれぞれ粗い、微細、及び超微細な作動を提供できる圧電アクチュエータ５１５（第３段階）を含む。一実施形態では、圧電アクチュエータは、チタン酸ジルコン酸鉛（lead zirconate titanate、ＰＺＴ）アクチュエータ（例えば、剪断ＰＺＴ）である。３段階モータを使用することにより、ヘッドバー５２０の移動はより正確になり得る。より高い精度で、テープフィルム上により多くのチャネルを支持することができ、テープフィルムのデータ密度をより高めることができる。一実施形態では、ヘッドバーは、従来のテープヘッドと同様のレイアウトでライタ−リーダ−ライタレイアウトのヘッドを含む。別の実施形態では、ヘッドバーは、ＨＤＤヘッドのレイアウトと同様の、リーダ−ライタレイアウトの２つのヘッドを含む。
【００５０】
ヘッドアセンブリ５００は、アクチュエータブロック５２６をステッピングモータに接続するねじシャフト５２５を更に含むことができる。ねじシャフト５２５及びガイドシャフト５２４、５４０は、ステッピングモータ５０５によるアクチュエータブロックの移動を容易にすることができる。いくつかの実施形態では、異なる数のガイドシャフトが使用される（例えば、０、１、３＋）。例えば、より小さい又はより軽いアクチュエータブロックは、移動中により少ない支持でよく、ガイドシャフトを１つのみ又は全く使用しなくてもよい。一方、より大きい又はより重いアクチュエータブロックには、追加のガイドシャフト又は複数のねじシャフトを使用することができる。
【００５１】
懸架アセンブリ５２８は、ヘッドバー５２０をアクチュエータブロック５２６に接続することができる。一実施形態では、懸架アセンブリは、ヘッドバーの読み取り及び書き込みヘッドとの間で電気信号をやり取りするために、取り付けプレート、ロードビーム、及び積層フレクシャを含む。懸架アセンブリ５２８はまた、制御された電流が通過するコイル５２９を含むことができる。コイル５２９は、アクチュエータブロック５２６に取り付けられた１つ以上の磁石５３０と相互作用して、ヘッドバー５２０を制御可能に動かすためのボイスコイルモータ５１０を形成する。
【００５２】
一実施形態では、ヘッド支持ブロック５３５は、ヘッドバー５２０と圧電アクチュエータ５１５とを懸架アセンブリ５２８に接続する。ヘッド支持ブロック５３５は、ヘッドバー５２０及び圧電アクチュエータ５１５を固定するためのクランプ５３６と、基部を懸架アセンブリ５２８に接続するために、クランプに垂直な支持構造体５３７とを含むことができる。一実施形態では、ヘッド支持ブロック及びアクチュエータは、ボイスコイルモータ５１０及びステッピングモータ５０５によって提供される制御と連動して、ヘッドバー５２０がテープ媒体の幅をわたって移動することを可能にする懸架システムを形成する。
【００５３】
圧電アクチュエータ５１５は、任意選択的に、導電性（例えば、金）電極層の間に挟まれた複数の圧電材料層を含む多層圧電素子であってもよいことにも留意されたい。圧電アクチュエータ５１５は、任意選択的に、多くの既知の圧電材料、例えば、チタン酸ジルコン酸鉛、タンタル酸スカンジウム鉛、ケイ酸ランタンガリウム、タンタル酸リチウム、チタン酸バリウム、リン酸ガリウム、及び／又は酒石酸カリウムナトリウムのうちの１つ以上を含んでもよい。
【００５４】
一実施形態では、圧電アクチュエータ５１５は、第２の軸に沿って延在するか、又は収縮する。アクチュエータ５１５は、ヘッドバー５２０をテープ媒体に向かって押すか、又はテープ媒体からヘッド（複数可）を引き離すことができる。一実施形態では、ヘッド（複数可）をテープフィルムの近くに移動させるために、ヒータ（例えば、加熱コイル）がヘッドバー５２０に組み込まれてもよい。タッチダウンセンサをヘッドバーに組み込んで、ヘッドとフィルムの接触を検出し、ヘッドバーがテープフィルムに触れないようにすることも可能である。
【００５５】
ヘッド（複数可）をテープフィルムに近づくように移動させることにより、信号強度を増加させることができる。加えて、ヘッドバーがテープ媒体から離れるように移動できるようにすることによって、テープ埋め込み型ドライブ１００に対して早送り又は巻き戻し機能を有効にすることができる。ヘッドバーが媒体から更に離れるにつれて、テープ媒体がより速く移動しても、媒体がヘッドバーに衝突する機会が減少する。接触を回避することにより、読み取り及び書き込みヘッド及び／又はテープ媒体の信頼性が維持される。
【００５６】
ヘッドアセンブリ５００をケーシング１０５へ、より良好に固定するために、第２のガイドシャフト５４０が使用されてもよい。一実施形態では、第１のガイドシャフト５２４は、アクチュエータブロック５２６の一方の側にあり、第２のガイドシャフト５４０はアクチュエータブロック５２６の反対側の端部にある。
【００５７】
一実施では、ヘッドバー５２０の移動は、３段階動作で完了される。まず、ステッピングモータはねじシャフト５２５を回転させ、アクチュエータブロックに、第１のガイドシャフト５２４及び第２のガイドシャフト５４０を上下に移動させる。これにより、ヘッドバーを、テープフィルムの幅にわたって（上下に）移動させる。ＶＣＭコイルに電流が印加されると、ヘッドサポートブロックも上下するが、その間懸架アセンブリによって支持される。圧電アクチュエータ５１５に電圧が印加されると、ヘッド（複数可）は再び上下に移動する。並行して作業することにより、３段階動作は、ヘッドバーをテープフィルムの幅全体にわたって（上下に）粗い、微細、又は超微細な間隔で移動させることができる。一実施形態では、３段階の移動は、約３０，０００／１０，０００／１の比率で進行し、ステッピングモータ５０５は１２．６５ｍｍまで移動可能であり、ＶＣＭ５１０は４ｍｍまで移動可能であり、圧電アクチュエータ５１５は０．４μｍまで移動可能である。
【００５８】
図６は、特定の実施形態による、テープ埋め込み型ドライブ１００用のＬＴＯヘッドバー６０５及びヘッドバー６１０を示す。ＬＴＯカセットは、ヘッドバーを作動させるためのステッピングモータ及びボイスコイルモータのみを有する。図６は、ＬＴＯ及びテープ埋め込み型ドライブの実施形態に対するテープ幅とテープヘッドバーの長さとの関係を示す。
【００５９】
複数のライタ及びリーダは、ヘッドバー内に配置され得る。例えば、テープバーは、１〜１０個のリーダヘッド及び／又は１〜１０個のライタヘッドを有し得る。典型的には、テープヘッドバーは、ライタ−リーダ−ライタレイアウトを使用する。しかしながら、ライタ−リーダ−リーダ−ライタなどの他のレイアウトも使用可能である。いくつかの実施形態では、２つ以上のリーダを使用することにより、より良好な信号対雑音比（ＳＮＲ）を提供し、より高いＴＰＩを可能にする。
【００６０】
テープ記録は、記録のためのヘッドフィルム接触技術を使用する。典型的には、ＬＴＯテープは、フィルム上の４つのデータバンドを使用し、この場合、ヘッド（複数可）がテープの幅の上下にある４つの異なる位置に移動される。ステッピングモータは、４つの位置のそれぞれに移動するために使用され、ボイスコイルモータは、各位置内でより微細な作動を処理する。したがって、ＬＴＯカセットは、テープ幅（１２．６５ｍｍ）よりも長いヘッドバー長さ（例えば２２．４ｍｍ）を使用するため、テープ幅は移動先の４つの位置のそれぞれにおいてヘッドバーで覆われる。
【００６１】
より長いヘッドバー６０５の重い質量、より広いヘッドリーダ幅、及びステッピング及びボイスコイルモータの制限された移動精度により、ＬＴＯカセットのフィルム上のトラック密度は制限される。ＬＴＯ−７トラックピッチは、１０．７ｋ  ＴＰＩ（２．３７ｕｍ）である。
【００６２】
一実施形態では、テープ埋め込み型ドライブ１００は、長さ約４ｍｍのヘッドバー６１０などのＬＴＯヘッドバー６０５よりも著しく小さいヘッドバー６１０を含む。ヘッドバーの長さを短くしてより小さな質量に対応することで、ＰＺＴの超微細作動によりヘッドバーを上下に移動させることができる。一実施形態では、ヘッドアセンブリは、ボイスコイルモータの作動可能部分に取り付けられたアセンブリ上に配置された（図５において考察されているように）ＰＺＴアクチュエータに取り付けられ、これは同様に、ステッピングモータの作動可能部分に取り付けられたアセンブリ上にある。一実施形態では、ＰＺＴアクチュエータは、ボイスコイルモータによって移動され、ボイスコイルモータは、同様にして、ステッピングモータによって移動される。
【００６３】
上記では、約４ｍｍのヘッドバーサイズを考察しているが、他のサイズ、例えば、約３ｍｍ、約５ｍｍ、又は更には他のサイズであってもよい。いくつかの実施形態では、ヘッドバーはテープ幅よりも著しく小さい。例えば、ヘッドバーは、テープ媒体の幅の半分未満、又は４分の１未満であってもよい。
【００６４】
一実施形態では、テープアセンブリの両側に２つのテープガイド６１５が配置されている。テープガイドは、テープの移動を制限し、ヘッドアセンブリがテープフィルム上を移動するときのより良好な安定性を提供する。他の実施形態では、ヘッドアセンブリが利用され得る前又は後のいずれかに配置された単一のテープガイドのみが使用されてもよい。
【００６５】
ヘッドバー６１０は、（図５において考察されているように）ＨＤＤのようなジンバルアセンブリ又は懸架アセンブリによって支持することができる。これは、より緩やかな、及び／又はより安定したヘッドとフィルムとの接触を提供し、読み取り及び／又は書き込みのより良好な信頼性を提供し得る。懸架アセンブリは、ステンレス鋼又は同様のものなどの様々な材料を使用することがxできる。
【００６６】
＜ヘッドアセンブリの実施形態＞
図７〜図１０Ｃは、テープ埋め込み型ドライブ１００のヘッドアセンブリの様々な異なる実施形態を示す。これらは、単にいくつかの変形例であり、他の変形例は、テープ埋め込み型ドライブ１００と協働し得る。例えば、以下の実施例は、剪断又はプッシュプルＰＺＴなどの圧電アクチュエータを使用する。しかしながら、同様の性能特性を有する他のタイプのアクチュエータを使用することができる。別の実施例では、示される数字の代わりに、異なる数の圧電アクチュエータ（例えば、１、２、３、４など）を使用することができる。
【００６７】
図７Ａ〜図７Ｂは、ヘッドアセンブリ７００の実施形態の斜視図及び対面図を示す。ヘッドアセンブリ７００は、図５のヘッドアセンブリと類似しているが、圧電アクチュエータは、中央に切り抜き部を有する２つのバー又は区分７１５ａ、７１５ｂに分割される。圧電アクチュエータは、図７Ｂの破線矢印によって示されるように、テープ媒体の幅をわたってヘッドバー７２０を移動させる。圧電材料の量を低減することにより、重量を低減することができ、これはヘッドバー７２０の移動に有益である。例えば、より軽いヘッドバーは、ヘッドバーを作動させるのに必要な電力を低減することができる。材料の低減はまた、製造コストを低減することができる。
【００６８】
図８Ａ〜図８Ｂは、懸架システム８４０を使用したヘッドアセンブリ８００の別の実施形態の斜視図及び対面図を示す。ヘッドアセンブリ８００は、懸架システム８４０が追加されている点を除いて、図７Ａ〜７Ｂのヘッドアセンブリと同様である。懸架システム８４０は、テープフィルムとのソフトタッチ接触を維持する際にヘッドバー８２０を補助することができる。テープフィルムがヘッドバー８２０を通過して移動すると、テープは、接触しているヘッド表面に対してわずかに変動し得る。懸架システム８４０は、それらの変動を補償し、ヘッドがテープフィルムとの接触を維持したままであることを可能にすることができる。これにより、読み取り／書き込み性能を増加させることができ、テープフィルムへの潜在的損傷を低減し、及び／又は読み取り／書き込み信頼性を向上させることができる。
【００６９】
一実施形態では、懸架システム８４０は、フレームを含む。フレームは、図５に説明されるヘッド支持ブロックのような支持構造体８４１に片側で接続することができる。ヘッドバー８２０は、フレームの他方の側に接続することができる。
【００７０】
いくつかの実施形態では、懸架システム８４０の張力を変更するために、懸架システム８４０の切り抜き部を拡大又は縮小することができる。図８Ｂの破線矢印で示されるように、圧電アクチュエータがテープ媒体をわたってヘッドバーを移動するときの張力の変化は、ヘッドバー８２０の移動量に影響を及ぼし得る。
【００７１】
図９Ａ〜図９Ｂは、プッシュプル懸架システムを使用したヘッドアセンブリ９００の別の実施形態の斜視図及び対面図を示す。プッシュプルアクチュエータは、一般に、剪断アクチュエータよりも低い電圧を使用する。プッシュプル懸架システムは、プッシュアクチュエータ９４１と、プルアクチュエータ９４２と、フレーム９４３と、を含む。一実施形態では、プッシュアクチュエータ、プルアクチュエータ、及び複数の懸架ワイヤは、支持構造体９４４に接続されているフレーム９４３に、ヘッドバー９２０を接続する。
【００７２】
図９Ｂの破線の矢印で示すように、プッシュアクチュエータとプルアクチュエータは、連携して動作し、懸架ヘッドをテープの幅に対して上下に移動させることができる。例えば、プッシュアクチュエータ９４１が収縮すると、プルアクチュエータ９４２が拡張し、それによってヘッドを一方向（上方）に押す。プッシュアクチュエータ９４１が拡張し、プルアクチュエータ９４２が収縮すると、ヘッドは反対方向（下方）に押される。一実施形態では、プッシュ及びプルアクチュエータはＰＺＴである。
【００７３】
懸架システムはまた、ヘッド（複数可）を移動可能に支持するためのワイヤ懸架部９４５ａ、９４５ｂを含むことができる。一実施形態では、ワイヤ懸架部９４５ａ、９４５ｂは、プッシュ及びプルアクチュエータによって容易に移動することができる可撓性材料で作製される。図示した実施形態では、２本の懸架ワイヤがヘッド（複数可）の各側に配置される。
【００７４】
ワイヤ懸架部の設計は、ヘッドバーの所望の移動を考慮するために異なっていてもよい。例えば、プッシュプルアクチュエータ９４１、９４２は、破線矢印によって示されるように、テープ媒体の幅にわたってヘッドバーを移動させる。一実施形態では、第１の懸架ワイヤタイプ９４５ａは、例えば、上下運動に沿って圧縮するように構成されているループ部分を有することによって、上下運動を促進するように構成されている。一実施形態では、第２の懸架ワイヤタイプ９４５ｂは、上下運動中の横方向の移動を低減するように構成される。例えば、第２の懸架ワイヤは、より剛性であってもよく、より高い伸張性のある材料を利用し、及び／又は上下運動に垂直な方向に沿って圧縮を低減する形状（例えば、「Ｗ」形状）を利用してもよい。
【００７５】
ＨＤＤで使用されるプッシュプルアクチュエータ設計は、上述のように、テープドライブで使用するように適合させることができる。プッシュプル設計は、高い信頼性及び低製造コストを有し、テープ埋め込み型ドライブ１００の実施形態に適している。
【００７６】
図１０Ａ〜図１０Ｃは、ＨＤＤ  ＨＧＡから適合されたヘッドジンバルアセンブリ（head gimbal assembly、ＨＧＡ）１０５０を含むヘッドアセンブリ１０００の別の実施形態の斜視図（図１０Ａ）、第１の側面プロファイル図（図１０Ｂ）、及び第２の側面プロファイル図（図１０Ｃ）を示す。図１０Ｃは、軸に沿って９０度回転した図１０Ｂの側面プロファイル図である。ＨＧＡ１０５０は、上端部及び基部端部を含む細長い懸架部１０５１を含む。懸架部１０５１は、その上端部において、空気ベアリングシステム１０５２を含むヘッド１０２０（又は複数のヘッド）及びヘッドスライダ（又は複数のヘッドスライダ）を支持することができる。
【００７７】
細長い懸架部１０５１は、その基部端部において、１つ以上のアクチュエータ１０５４、１０５５及びバネ型クランプ１０５６によって支持構造体１０５３に接続することができる。図示した実施形態では、１つ以上のアクチュエータはプッシュプルアクチュエータであり、第１のアクチュエータ１０５４及び第２のアクチュエータ１０５５は、懸架部１０５１の基部を、懸架部１０５１を支持構造体１０５３に接続するバネ型クランプ１０５６に接続する。
【００７８】
一実施形態では、第１のアクチュエータ１０５４及び第２のアクチュエータ１０５５は、ＰＺＴアクチュエータである。図１０Ｃに示すように、第１のアクチュエータ１０５４が拡張し、第２のアクチュエータ１０５５が収縮すると、ヘッド（複数可）は左に移動する。第１のアクチュエータ１０５４が収縮し、第２のアクチュエータ１０５５が拡張すると、ヘッド（複数可）は右に移動する。
【００７９】
＜制御システム＞
図１１は、特定の実施形態による、テープ埋め込み型ドライブ１００のサーボ機構システム１１００の制御ブロック図を示す。システムの制御ロジックは、ＰＣＢＡ内のＳｏＣ及び／又はＰＬＳＩなどのテープ埋め込み型ドライブ１００の１つ以上のコントローラのプロセスとして実装されてもよく、１つ以上のモータ及び／又はアクチュエータを制御するために使用されてもよい。
【００８０】
一実施形態では、ステッピングモータコントローラ１１０５、ＰＺＴコントローラ１１０７、及びＶＣＭコントローラ１１１０は、ステッピングモータ１１１５、ＰＺＴアクチュエータ１１２０、及びＶＣＭ１１２５を制御し、ターゲットコマンドに応じて、ヘッド（複数可）の移動を調整する。
【００８１】
上で考察されるように、ステッピングモータ１１１５は粗動を提供することができ、ＶＣＭ１１２５は微細動を提供することができ、ＰＺＴアクチュエータ１１２０は超微細動を提供することができる。例えば、テープ幅を１２．６５ｍｍと仮定すると、ステッピングモータのストロークは約１２．６５ｍｍ、ＶＣＭストロークは約４ｍｍ、ＰＺＴストロークは約０．４μｍであり得る。この実施形態では、約３０，０００：１０，０００：１（ステッピングモータ／ＶＣＭ／ＰＺＴアクチュエータ）の移動比率を作成する。他の実施形態では、この比率は、モータ及びアクチュエータの性能仕様に基づいて異なり得る。
【００８２】
第１の制御信号１１３０は、ステッピングモータコントローラからステッピングモータに送られる。次いで、ヘッド（複数可）を粗動で移動させる。一実施形態では、ヘッド位置センサは、第１の移動の後のヘッドの位置を検出し、ポジティブエラー信号（positive error signal、ＰＥＳ）をＶＣＭ及びＰＺＴコントローラに提供する。これに応じて、ＶＣＭ及びＰＺＴコントローラは、必要に応じてヘッド（複数可）を更に各々微細動及び超微細動させて、ヘッド（複数可）を所望の位置に配置することができる。
【００８３】
第１の増幅器１１３３は、第２の制御信号１１３５を増幅するために、ＰＺＴコントローラ１１０７とＰＺＴアクチュエータ１１２０との間に配置され得る。第２の増幅器１１３８は、第３の制御信号１１４０を増幅するために、ＶＣＭコントローラ１１１０とＶＣＭ１１２５との間に配置され得る。
【００８４】
一実施形態では、ＰＺＴアクチュエータ１１２０及びＶＣＭ１１２５は、ヘッド（複数可）を連続的に移動させる。ＶＣＭはまずヘッド（複数可）を動かし、次にヘッドがターゲット位置から第１の閾値距離内にある場合、ＰＺＴアクチュエータ１１２０は、超微細動のためにヘッド（複数可）の移動を引き継ぐことができる。別の実施形態では、ＰＺＴアクチュエータ１１２０及びＶＣＭ１１２５は、ヘッド（複数可）を平行に移動させることができる。図１１の制御システムの説明ではＰＺＴが使用されているが、上記のように、ＰＺＴの代わりに他のタイプのアクチュエータを使用することができ、図１１のシステムは、他の実施形態において適宜適合され得ることに留意されたい。
【００８５】
＜更なる実施形態＞
当業者は、いくつかの実施形態では、依然として本開示の範囲内にありながら、他のタイプのテープ埋め込み型ドライブシステムを実装することができることを理解するであろう。加えて、本明細書で考察されるプロセスにおいて行われる実際の工程は、図に記載又は示されるものと異なってもよい。実施形態に応じて、上記の工程のうちの特定の工程を除去してもよく、他の工程を加えてもよい。
【００８６】
特定の実施形態が記載されているが、これらの実施形態は単なる例として提示されたものであり、保護の範囲を限定することを意図するものではない。実際に、本明細書に記載される新規の方法及びシステムは、様々な他の形態で具現化され得る。更に、本明細書に記載される方法及びシステムの形態の様々な省略、置換、及び変更が行われてもよい。添付の特許請求の範囲及びそれらの等価物は、保護の範囲及び趣旨に含まれるような、形態又は修正を網羅することを意図している。例えば、図に示される様々な構成要素は、プロセッサ、ＡＳＩＣ／ＦＰＧＡ、又は専用ハードウェア上のソフトウェア及び／若しくはファームウェアとして実装されてもよい。また、上記で開示された特定の実施形態の特徴及び属性を異なる方法で組み合わせて、追加の実施形態を形成することができ、それらは全て本開示の範囲内にある。本開示は、特定の好ましい実施形態及び用途を提供するが、本明細書に記載される特徴及び利点の全てを提供しない実施形態を含む、当業者には明らかである他の実施形態もまた、本開示の範囲内である。したがって、本開示の範囲は、添付の特許請求の範囲を参照することによってのみ定義されることが意図される。
【００８７】
上記のプロセスの全ては、１つ以上の汎用コンピュータ又は専用コンピュータ又はプロセッサによって実行されるソフトウェアコードモジュール内に具現化され、完全に自動化されてもよい。コードモジュールは、任意の種類のコンピュータ可読媒体、又は他のコンピュータストレージデバイス、又はストレージデバイスのコレクションに保存されてもよい。方法の一部又は全ては、代替的に、専用のコンピュータハードウェアで具現化されてもよい。
【図１Ａ】
2020129424.tif 000004
【図１Ｂ】
2020129424.tif 000005
【図１Ｃ】
2020129424.tif 000006
【図２】
2020129424.tif 000007
【図３Ａ】
2020129424.tif 000008
【図３Ｂ】
2020129424.tif 000009
【図４】
2020129424.tif 000010
【図５】
2020129424.tif 000011
【図６】
2020129424.tif 000012
【図７Ａ】
2020129424.tif 000013
【図７Ｂ】
2020129424.tif 000014
【図８Ａ】
2020129424.tif 000015
【図８Ｂ】
2020129424.tif 000016
【図９Ａ】
2020129424.tif 000017
【図９Ｂ】
2020129424.tif 000018
【図１０Ａ】
2020129424.tif 000019
【図１０Ｂ】
2020129424.tif 000020
【図１０Ｃ】
2020129424.tif 000021
【図１１】
2020129424.tif 000022
【外国語明細書】
2020129424000001.pdf